(57)【要約】【課題】針の長さを調節可能な注射器を提供する。【解決手段】注射器は内部に注射液が保存され、前方に装着部が突出形成された注射器本体、注射器本体に挿入されて注射液を圧出するプランジャ、装着部に圧入結合されるように装着部の外径に対応する内径を有し中央には針が装着され、外周面にはねじ山が形成された針ハブ、針ハブの外側にねじ結合されて針の露出長さを調節する調節具を含む。調節具は、射出金型の簡単な設計変更のみで大量生産することができ、これは、針を多様な規格で生産しなければならない従来の方式に比べて生産費用を節減できる。調節具が一種類の注射器に装着されても、注射液を望む深さに注射することができる。【選択図】      図７
2010534506.tif 000002
【特許請求の範囲】
【請求項１】
内部に注射液が保存され、前方の内周面にねじ面が形成された注射器本体と、
前記注射器本体に挿入されて注射液を圧出するプランジャと、
外周面に組立て突起が形成されて前記ねじ面に交替が可能になるようにねじ結合され、中央には針が固定結合された針ハブと、
前記針ハブの外側を包むように円通状からなり、下部には前記ねじ面に締結されるロッカーを備える調節具と、を含むことを特徴とする針の長さを調節可能な注射器。
【請求項２】
内部に薬液が保存され、前方に装着部が突出形成された注射器本体と、
前記注射器本体に挿入されて注射液を圧出するプランジャと、
前記装着部に交替可能になるように嵌合締結され、中央には針が固定結合された針ハブと、
前記針ハブの外側の外側に嵌合するように円通状からなる調節具と、を含むことを特徴とする針の長さを調節可能な注射器。
【請求項３】
前記組立て部の内径が針ハブのボディ部と組立て突起部との間に嵌合可能な直径で形成されることを特徴とする請求項１または２に記載の針の長さを調節可能な注射器。
【請求項４】
前記調節具は前方に行くにつれて直径が徐々に減少する円錐状で形成されることを特徴とする請求項１または２に記載の針の長さを調節可能な注射器。
【請求項５】
前記調節具の外周面に滑り止めのための突起がスプライン状に形成されることを特徴とする請求項１または２に記載の針の長さを調節可能な注射器。
【請求項６】
内部に注射液が保存され、前方の内周面にねじ面が形成された注射器本体と、
前記注射器本体の後方に結合されて注射液を加圧するプランジャと、
前記ねじ面にねじ結合されるように外周面に組立て突起部が形成され、中央部には針が装着され、外周面にはねじ山が形成された針ハブと、
前記針ハブの外側にねじ結合されて針の露出長さを調節する調節具と、を含むことを特徴とする針の長さを調節可能な注射器。
【請求項７】
内部に注射液が保存され、前方の装着部が突出形成された注射器本体と、
前記注射器本体の後方に結合されて注射液を加圧するプランジャと、
前記装着部に嵌合締結するように装着部の外径に対応する内径を有し、中央には針が装着され、外周面にはねじ山が形成された針ハブと、
前記針ハブの外側にねじ結合されて針の露出長さを調節する調節具と、を含むことを特徴とする針の長さを調節可能な注射器。
【請求項８】
前記調節具の外周面に滑り止めのための突起がスプライン状に形成されることを特徴とする請求項６または７に記載の針の長さを調節可能な注射器。
【請求項９】
内部に注射液が保存され、前方の内周面にねじ面が形成された注射器本体と、
前記注射器本体の後方に結合されて注射液を加圧するプランジャと、
前記ねじ面にねじ結合するように外周面に組立て突起部が形成され、中央には針が装着され、外周面には環状の嵌合溝が形成され、前記嵌合溝にＯリングが介在された針ハブと、
前記針ハブの外側にＯリングが接触するように嵌合結合されて針の露出長さを調節する調節具と、を含むことを特徴とする針の長さを調節可能な注射器。
【請求項１０】
内部に注射液が保存され、前方の内周面に装着部が突出形成された注射器本体と、
前記注射器本体の後方に結合されて注射液を加圧するプランジャと、
前記装着部に嵌合結合するように装着部の外径に対応する内径を有し、中央には針が装着され、外周面には環状の嵌合溝が形成され、前記嵌合溝にＯリングが介在された針ハブと、
前記針ハブの外側にＯリングが接触するように嵌合結合されて針の露出長さを調節する調節具と、を含むことを特徴とする針の長さを調節可能な注射器。
【請求項１１】
前記調節具の外周面に滑り止めのための突起がスプライン状に形成されることを特徴とする請求項９または１０に記載の針の長さを調節可能な注射器。
【発明の詳細な説明】
【技術分野】
【０００１】
本発明は、注射器に関し、特に施術対象者の注射される部位に合わせて針の長さを自由自在に調節できるようにした針の長さを調節可能な注射器に関する。
【背景技術】
【０００２】
一般的に、病医院などで人体または動物に施術する部位によって、筋肉注射、血管注射、皮下注射などに区分することができ、医者または看護師による注射施術過程では、該当目的に合った規格に適合した針及び針ハブからなる針組立体を使用するように保健及び衛生関連法によって規制されている。
【０００３】
このために、病医院の注射室には筋肉注射などのための大型針と、血管注射などのための中型針と、皮下注射などのための小型針とを各々具備しているのが一般的で、針を生産及び供給する業者も該当規格別に一定する個数の針組立体を一セットにして包装し供給している。
【０００４】
一般的によく使用されているだけでなく、一般人も容易に購入できる一般的な注射器は、大きく２つの形態に区分することができ、それぞれの形態に対する具体的な説明は後述する。
【０００５】
このような従来の注射器の構成をより詳細に説明すると下記のようである。
図１は、一般的によく使用されるだけでなく、一般人も容易に購入できる注射器を示した図である。
【０００６】
これによれば、注射器本体１１は、その内部でプランジャ１２が前後に移動可能なシリンダー形態で形成され、本体１１の前方の内周面には針組立体３０を組立てるためのねじ面１１ａが形成される。プランジャ１２の前方には注射液が圧出できるようにプランジャリング１２ａが結合され、プランジャの後方にはノブ１２ｂが一体に形成される。また、本体１１の後方には使用者がノブ１２ｂを加圧するかまたは引っ張るときに本体１１に反対方向の力が加わるようにするためのフランジ１１ｂが形成される。
【０００７】
一方、様々な規格（３０Ａ，３０Ｂ，３０Ｃ）で供給される針組立体３０は、針３１と、針の後端を固定して注射器１０のねじ面に締結または分離できるように針ハブ３２に区分し形成される。前記針ハブ３２は、使用者が指で摘んでねじ面１１ａに締結またはねじ面から分離する過程で滑らないようにその外周面に滑り止め突起３３が多数形成され、ねじ面１１ａに締結される部分の外周面には締結の弾性によって注射液が漏出しないようにするための組立て突起部３４が形成される。
【０００８】
さらに、針ハブ３２が注射器本体１１に締結されるとき、その間には気密維持のためのシーリング４０が具備されてもよい（これから、このような形成の注射器を「ねじ締結式注射器」と称する）。
【０００９】
図２は、上述のねじ締結式注射器１０とは針組立体の装着構造が異なる形態の注射器２０を示した図面であり、針組立体については図１の構成と同様であるため、同じ符号を与える。
【００１０】
注射器本体２１の先端には、本体２１の直径より小さい直径を有する装着部２１ａが所定の長さで突出された形態で構成される。
つまり、注射器２０は、その装着部２１ａの直径が本体２１の直径より細く形成されることによって、針組立体３０の組立て過程で針ハブ３２の内周面と装着部２１ａの外周面が互いに圧着するように構成されたものである。
【００１１】
一方、本体２１の内部に受容されるプランジャ２２、プランジャ２２の先端に固定結合されるプランジャリング２２ａ、プランジャ２２の後端に形成されたノブ２２ｂ、前記ノブ２２ｂに対してプランジャに作動力が加わるように本体２１の下端に設けられたフランジ２１ｂなどの構造は、ねじ締結式注射器１０でのように形成される（これから、このような形成の注射器を「圧入締結式注射器」と称する）。
【００１２】
しかし、従来の注射器に適用される針３１は、大きさ別で供給価格に大きな差があるため、一部の病医院では低価の、一種類の針３１の長さを有する注射器を購入して深さを多様にして注射施術をするという問題点がある。
【００１３】
例えば、皮膚科病院または歯科病院などで皮膚層に非常に浅く注射を施術するときに、大型針を使用して施術する場合がある。このような場合に注射を施術する医者或いは看護師には、注射針を必要以上に皮膚内部に挿入しないように格別な注意が必要になるため、施術者にとって疲労感が増加する要因になる。
【００１４】
また、施術する過程で、外部露出部分が多い注射針を被施術者が認識した場合には、被施術者に大きな不安感を持たせるような状況が生じるという問題点があった。
【発明の概要】
【発明が解決しようとする課題】
【００１５】
本発明はこのような問題点を鑑みてなされたものであって、本発明の目的は、注射部位に合った長さの注射針が備えられていない状況でも調節具を被せるといった比較的簡単な方式で注射針の露出程度が調節できるようにした針の長さ調節用注射器を提供することにある。
【課題を解決するための手段】
【００１６】
上述の本発明の目的は、内部に注射液が保存され、前方に装着部が突出形成された注射器本体と、前記注射器本体の後方に結合されて注射液を加圧するプランジャと、前記装着部に圧入結合するように装着部の外径に対応する内径を有し、中央には針が装着され、外周面にはねじ山が形成された針ハブと、前記針ハブの外側にねじ締結されて針の露出の長さを調節することのできる調節具とを含む針の長さ調節用注射器によって達成される。
【発明の効果】
【００１７】
従来の注射器は、針の多様な規格で生産及び供給する過程で相対的に単価が増加するしかなかったが、本発明によると、射出金型の簡単な設計変更のみで調節具を大量に生産できるため、別途の多様な規格の針組立体を生産する必要がなくなって生産費用を節減することができる。
【図面の簡単な説明】
【００１８】
【図１】従来技術による注射器を示す断面図である。
【図２】従来技術による他の注射器を示す断面図である。
【図３】本発明の第１実施形態による注射器を示す分解斜視図である。
【図４】図３による注射器の断面図である。
【図５】本発明の第２実施形態による注射器を示す分解斜視図である。
【図６】図５による注射器の分解断面図である。
【図７】本発明の第３実施形態による注射器の外観を示す分解斜視図である。
【図８】図７による注射器の断面図である。
【図９】本発明の第４実施形態による注射器の外観を示す分解斜視図である。
【図１０】図９による注射器の一部を示す断面図である。
【図１１】本発明の第５実施形態による注射器の外観を示す分解斜視図である。
【図１２】図１１による注射器の断面図である。
【図１３】本発明の第６実施形態による注射器の外観を示す分解斜視図である。
【図１４】図１３による注射器の一部を示す断面図である。
【発明を実施するための形態】
【００１９】
以下、本発明による針の長さ調節用注射器の添付図面を参照して説明する。
図３及び図４は、それぞれ本発明の第１実施形態による注射器の構成を示す図面である。
【００２０】
図示のように、本実施形態の注射器１００は、ねじ締結式注射器に適用されるもので、円通型シリンダー形態の注射器本体１１０を有し、注射器本体１１０の内部にはプランジャ１２０が挿入される。プランジャ１２０の前方にゴム材質のプランジャリング１２１が結合し、プランジャ１２０の後方にはプランジャ１２０を加圧を容易にするようにプランジャ１２０の直径より大きい直径のノブ１２２が形成される。
前記本体１１０の先端の内周面には針１３１と針ハブ１３２からなる針組立体１３０を締結するためのねじ面１１１が形成され、このねじ面１１１にまた他の針ハブ１３２に交替可能になるように構成される。
【００２１】
そして、前記針組立体１３０の外側の一部を包むように調節具１４０がさらに具備されるが、本実施形態によって形成される調節具（１４０Ａ，１４０Ｂ，１４０Ｃ）は注射器本体１１０に大型注射針が装着された状態でも望む針１３１の長さを有するようにするために適用されることができる。
【００２２】
前記調節具１４０は、内部が空の円通型のボディ部１４１と、このボディ部１４１の前方に一体で設けられて針１３１の端に向かって段々直径が減少する円錐型の前方傾斜部１４２と、ボディ部１４１の後方にボディ部１４１の外径より小さい外径を有するように設けられる組立て部１４３と、この組立て部１４３の下端にはねじ締結式注射器１００のねじ面１１１にねじ締結方式によって締結されるロッカー１４４が突出形成される。このとき、前記ボディ部１４１の外周面には滑り止めのための突起が１４５がスプライン状に突出形成されることが望ましい。
【００２３】
一方、本実施形態による調節具（１４０Ａ，１４０Ｂ，１４０Ｃ）の適用のために注射器１００及び針組立体１３０の形態を変更することはない。つまり、本実施形態の調節具（１４０Ａ，１４０Ｂ，１４０Ｃ）の下端部の外径は、注射器本体１１０の先端の内径にねじ締結される直径で形成される。
このように、注射器１１０に大型注射針が装着された状態でも望む針の長さを有するための調節具１４０を適用することができる。従って、施術しようとする深さに適合した針の長さを有するようにするために、多様な大きさ（一例として１４０Ａ、１４０Ｂ、１４０Ｃ）に提供される調節具１４０のうちの１つを選定して注射器のねじ面１１１に装着すればいい。
【００２４】
図５及び図６は、それぞれ本発明の第２実施形態による注射器の構成を示す図面である。
図示のように、本実施形態の注射器２００は、圧入締結式注射器に適用されるもので、内部に注射液が保存されるように、所定の空間が形成された円通型の注射器本体２１０、この本体２１０の後方より挿入されて注射液を前方側に押すプランジャ２２０を含む。
【００２５】
そして、前記本体２１０の前方には、針ハブ２３２が結合され、この針ハブ２３２の先端には所定の長さの針２３１が突出して結合されている。
このとき、注射器本体２１０の先端には、注射器本体２１０の外径より小さい大きさの外径を有する装着部２１１が所定の長さで突出して形成される。
【００２６】
さらに、本実施形態においても、針２３１の露出長さを調節するための調節具２４０が具備され、構成は第１実施形態と同様である。
つまり、本発明の第１実施形態及び第２実施形態によれば、調節具（１４０，２４０）の適用のために本発明によって形成される注射器（１００，２００）及び針組立体（１３０，２３０）の形態を変更することはない。
【００２７】
ただ、装着部の形態が互いに異なる２種類の注射器（１００，２００）ともに適用が可能になるようにするために、第１実施形態及び第２実施形態による円通型調節具（１４０，２４０）の内径及び外径が設定される。
【００２８】
このために、調節具（１４０，２４０）の下端外径は、ねじ締結式注射器本体１１０の内径にねじ締結される直径に形成され、その下端の内径は、圧入締結式注射器本体２１０に装着された針ハブ２３２の組立て突出部２３４の上側に圧入が可能な直径で形成される。
【００２９】
上述のように、注射針（１００，２００）の先端に調節具（１４０，２４０）の装着が可能になるように形成する理由は、規格によって単価に大きな差のある針組立体（１３０，２３０）の大きさを交替する代わりに規格による製作及び供給単価に大きな差のない部品で注射器の先端に露出する針の長さ調節が可能になるようにするためである。
【００３０】
つまり、注射器本体（１１０，２１０）の先端に針組立体（１３０，２３０）を先に調節した状態で、針（１３１，２３１）の一部のみが調節具（１４０，２４０）の前方に露出するように調節具の組立て及び分離が可能になるように構成する。
【００３１】
図７及び図８は、本発明の第３実施形態による注射器の構成を示した図面である。
これによれば、本実施形態による注射器３００は、ねじ締結式注射器に適用されたもので、ねじ締結式注射器の構成は、第１実施形態で既に言及したのと同一であるため、以下においてはこれ以上の説明は省略する。
【００３２】
一方、注射器３００の生産完了後には、針３３１が外部に露出しないように、本体３１０の前方に簡単に嵌合するように保護キャップ３５０が具備される。この保護キャップ３５０は、針３３１の破損を防ぐと共に、針３３１によって予期しなかった事故を防ぐことができるようにするためである。
【００３３】
本実施形態においての注射器３００では、施術過程で、状況によって針３３１の露出長さを調節する必要があるとき、その調節のための調節具３４０が針ハブ３３０の外側に具備される。調節具３４０は、内部が空の円通型のボディ３４１を有し、ボディ３４１の上面中央には針３３１が貫通するように貫通孔３４２が形成される。
【００３４】
このとき、本実施形態の調節具３４０は、第１及び第２実施形態とは異なって、注射器の本体３１０に装着されるのではなく、針ハブ３３２の外側に結合される。
つまり、針ハブ３３２の前方外周面にはねじ山３３２ａが形成され、これに対応するように調節具３４０の後方内周面にもねじ山３４１ａが形成される。
【００３５】
このとき、調節具３４０の内径は、針ハブ３３２の外径に対応するように形成され、針ハブ３３２の外径は、保護キャップ３５０の内部に受容されることができるように形成される。従って、本実施形態によって、形成される調節具３４０の適用のために既存の注射器または針３３１の形態に変更は要求されない。
【００３６】
一方、本実施形態の調節具は、第１及び第２実施形態とは異なって、幾く種類の調節具が要求されず、単に１つの調節具のみが具備されればよい。
このように、針ハブ３３２の外側に調節具３４０の装着が可能になるようにする理由は、規格によって単価に大きな差のある針３３１が具備された針ハブ３３２を交替にする代わりに規格による製作及び供給単価に大きな差のない部品、つまり、調節具３４０で注射器先端に露出される針３３１の長さ調節が可能になるようにするためためである。つまり、注射器本体３１０の先端に針ハブ３３２が先に組立てられた状態で針３３１の一部のみが調節具３４０の前方に露出するように組立て及び分離が可能になるように構成される。
【００３７】
一方、調節具３４０の外周面にはスプライン状で滑り止め突起３４３が形成されることが望ましい。
図９及び図１０は、それぞれ本発明の第４実施形態による注射器の構成を示す図面である。
【００３８】
本実施形態による注射器４００は、圧入締結式注射器に適用されるもので、圧入締結式注射器の構成は、第４実施形態において既に言及されたものとほぼ同様であるため、以下においてはこれ以上の説明は省略する。
【００３９】
ただ、本実施形態においては、注射器本体４１０の先端に突出形成された装着部４１１に対応する内径を有する針ハブ４３２が具備され、針ハブ４３２の前方外周面には第３実施形態と同様にねじ山４３２ａが形成される。
【００４０】
そして、前記針ハブ４３２のねじ山４３２ａには内周面にねじ山４４１ａが形成された調節具４４０が結合されて針４３１の露出長さを調節することが可能になる。
図１１及び図１２は、それぞれ本発明の第５実施形態による注射器の構成を示す図面である。
【００４１】
図示のように、本実施形態の注射器の構成は、第３実施形態の注射器とほぼ同様であるため、具体的な説明は省略する。
ただ、第３実施形態においては、針ハブ５３２の外周面と調節具５４０の内周面に互いに対応するようにねじ山が形成されているが、本実施形態においては、針ハブ５３２の外周面に環状の嵌合溝５３２ａを形成し、この嵌合溝５３２ａにはＯリング５３３を嵌合する。このとき、Ｏリング５３３は、調節具５４０の内周面と接触するため、調節具５４０にスクラッチまたは破損が発生することを防ぐとともに、調節具５４０の設定位置を保つように適当な摩擦力を保有した軟らかい材質、例えば、ゴム材質からなることが望ましい。
このように構成された注射器は、調節具５４０の内周面がＯリング５３３に接触された状態で施術者が適当な力で調節具５４０を前方または後方に加圧して必要な程度に針５３１が露出するように針５３１の露出長さを設定することができる。
【００４２】
これによれば、別途に針ハブ５３２と調節具５４０にねじ山を形成するためのタップ加工する必要なく、単純に針ハブ５３２に嵌合溝５３２ａを形成する工程のみが要求されるため、第１乃至第４実施形態に比べて著しく製作工数が減少することは勿論、製造費用を節減することもできるようになる。
【００４３】
一方、本実施形態においては、Ｏリング５３３を介在するように構成したが、これに限定されず、針ハブ５３２の外周面にゴム材質の接触突起（図示省略）を形成することによって、Ｏリング５３３の役割を代替することも可能である。
【００４４】
図１３及び図１４は、それぞれ本発明の第６実施形態による注射器の構成を示す図面である。
図示のように、本実施形態の注射器の構成は、第４実施形態の注射器が適用され、調節具６４０の構成は第５実施形態と同一に適用される。
【００４５】
つまり、注射器本体６１０の装着部６１１に、針ハブ６３２が嵌合締結された状態で針ハブ６３２の外周面に環状に形成された嵌合溝６３２ａにゴム材質のＯリング６３３が挿入され、針ハブ６３２の外側にはＯリング６３３に接触するように調節具６４０が嵌合締結される。
【００４６】
以上のように、一般的な注射器を利用して注射を施術する場合に医者または看護師は注射される部位及び注射の目的に適合した針の長さを有する針ハブを注射器に装着しなければならないが、本発明が適用された注射器の場合には、大型または中型のうちの何れかの１つの針を有する針ハブのみを装着した状態で調節具を利用して多様な形態の注射が可能になる。つまり、中型及び小型針が適用された状態でのみ施術が可能な場合でも、前記調節具を利用するようになると、大型の針が装着された注射器を利用して前方に露出する針の長さを調節することができる。
【００４７】
例えば、注射を施術するために医者または看護師は、選択された針を注射器本体に設けられたねじ面または装着部に予め装着させた状態で針を注射液が入ったアンプルに刺し込んだ後、注射器本体の後方側に露出されたノブを引っ張って注射器本体の内部に注射液が吸入するようにする。
【００４８】
その後、注射される位置または目的に合わせて針の露出された長さ調節のために調節具をねじ締結式注射器の先端に設けられたねじ面にねじを締結するか、または、圧入締結式注射器の装着部に嵌合するなどの結合構造によって該当注射器に調節具が一体化されることによって、針の外部露出長さを適切に調節することができる。
【００４９】
以上、添付図面を参照しながら本発明の好適な実施形態について詳細に説明したが、本発明はかかる例に限定されない。本発明の属する技術の分野における通常の知識を有する者であれば、特徴請求の範囲に記載された技術的思想の範疇内において、各種の変更例または修正例に想到し得ることは明らかであり、これらについても、当然に本発明の技術的範囲に属するものと了解される。
【産業上の利用可能性】
【００５０】
従来の注射器は、針の多様な規格で生産及び供給する過程で相対的に単価が増加するしかなかったが、本発明によると、射出金型の簡単な設計変更のみで調節具を大量に生産できるため、別途の多様な規格の針組立体を生産する必要がなくなって生産費用を節減できる。
【符号の説明】
【００５１】
１１０，２１０…注射器本体、１２０，２２０…プランジャ、１３０，２３０…針組立体、１３１，２３１…針、１３２，２３２…針ハブ、１４０，２４０…調節具。
【図１】
2010534506.tif 000003
【図２】
2010534506.tif 000004
【図３】
2010534506.tif 000005
【図４】
2010534506.tif 000006
【図５】
2010534506.tif 000007
【図６】
2010534506.tif 000008
【図７】
2010534506.tif 000009
【図８】
2010534506.tif 000010
【図９】
2010534506.tif 000011
【図１０】
2010534506.tif 000012
【図１１】
2010534506.tif 000013
【図１２】
2010534506.tif 000014
【図１３】
2010534506.tif 000015
【図１４】
2010534506.tif 000016
【国際調査報告】
2010534506.tif 000017
2010534506.tif 000018